(57)【要約】【課題】加熱炉の下に設置される徐冷用延長管の気密性及び加熱炉の下でのファイバ切断性を向上でき、光ファイバの寸法を高精度に制御しかつ光ファイバへの傷つき等の不具合を確実に防止できる紡糸機用延長管及び紡糸機を提供する。【解決手段】紡糸機は、加熱炉１０から下方向きに光ファイバ１４を、前記加熱炉１０下部に連通する第１の徐冷用延長管２４、第１の徐冷用延長管２４の周囲を取り巻く屈曲かつ伸縮が可能なベローズ状本体２６ａを有するベローズ延長管２６と、前記第１の徐冷用延長管２４下部に連通する第２の徐冷用延長管２８の中空内に通して徐冷し、第１の徐冷用延長管２４の下部は第２の徐冷用延長管２８の上端部開口内に進退動可能に挿入し、前記ベローズ延長管２６は、上端を前記アダプタ３０下部に着脱可能に固定し、かつ、下端を第２の徐冷用延長管２８上端に着脱可能に固定した。【選択図】図１
2011173734.tif 000002
【特許請求の範囲】
【請求項１】
光ファイバ母材を加熱する加熱炉下部に中空の徐冷用延長管を設け、該加熱炉から下方に向けて引き出された光ファイバを前記中空内に通して徐冷する光ファイバの紡糸機において、
徐冷用延長管は、前記加熱炉下部に連通する第１の徐冷用延長管と、前記第１の徐冷用延長管の周囲を取り巻く屈曲かつ伸縮が可能なベローズ状本体を有すベローズ延長管と、前記第１の徐冷用延長管下部に連通する第２の徐冷用延長管とを有することを特徴とする紡糸機用延長管。
【請求項２】
前記加熱炉下部に中空のアダプタを設け、このアダプタの下部に前記第１の徐冷用延長管の上端を着脱可能に固定してアダプタと第１の徐冷用延長管および第２の徐冷用延長管とを連通させると共に、この第１の徐冷用延長管の下部は第２の徐冷用延長管の上端部開口内に進退動可能に挿入したことを特徴とする請求項１に記載の紡糸機用延長管。
【請求項３】
前記ベローズ延長管は、上端を前記アダプタ下部に着脱可能に固定し、かつ、下端を第２の徐冷用延長管上端に着脱可能に固定したことを特徴とする請求項２に記載の紡糸機用延長管。
【請求項４】
前記アダプタは、下端にフランジを設けたものであり、
前記ベローズ延長管は、ベローズ状の本体の上端および下端にフランジを設けたものであり、
第２の徐冷用延長管は、管状の本体の少なくとも上端にフランジを設けたものであり、
前記加熱炉下部に固定したアダプタの下部に前記ベローズ延長管の上端のフランジを別体のネジによってネジ結合し、
前記ベローズ延長管の下端のフランジに、第２の徐冷用延長管の上端のフランジを別体のネジによってネジ結合したことを特徴とする請求項２または３に記載の紡糸機用延長管。
【請求項５】
前記アダプタの下端の中空開口に連通しかつ周囲に雄ネジの形成された筒状ネジ部を下方に突出形成し、前記第１の徐冷用延長管は、上端にフランジが形成されており、
その上端のフランジをアダプタ下端の筒状ネジ部下端に突き当て、当該上端のフランジを包んで筒状雌ネジ体を前記突出部の雄ネジに螺合させて、前記第１の徐冷用延長管の上端を前記アダプタに固定したことを特徴とする請求項１から４のうちの１項に記載の紡糸機用延長管。
【請求項６】
第２の徐冷用延長管に、その本体を側方から支持しかつ芯出しをするため移動可能にする延長管用ブラケットを設けたことを特徴とする請求項１から５うちの１項に記載の紡糸機用延長管。
【請求項７】
請求項１から６のうちの１項に記載の紡糸機用延長管を用いたことを特徴とする光ファイバの紡糸機。
【発明の詳細な説明】
【技術分野】
【０００１】
本発明は光ファイバの製造に用いられる紡糸機用延長管及び紡糸機に関し、特に加熱炉の下に設置する徐冷用延長管及びそれを設けた紡糸機に関する。
【背景技術】
【０００２】
従来から使用される、光ファイバの紡糸機は、図５（ａ）に示すように、加熱炉１０内に光ファイバ母材１２を上方から挿入し、当該母材１２をヒータ１０ａの熱で加熱して熔融させ、熔融した母材１２から細く引き出された光ファイバ１４の先端１４ａを図示しない引取機によって引取ることにより、光ファイバ１４を連続的に製造している。加熱炉１０の外壁部１０ｂ内に断熱材１０ｃが装填されてヒータ１０ａ発生熱が逃げないようにしている。
【０００３】
加熱炉１０の下方には、熔融後で高温の光ファイバ１４を内部に通して徐冷する徐冷用延長管１６が設けられて、当該延長管１６内にガスや空気を吹き込む等して徐冷している（特開２００４−１５５６１０号（特許文献１）、特開平１０−１９４７７０号（特許文献２））。
【０００４】
この種の徐冷用延長管１６は、管本体１６ａの上端・下端にフランジ１６ｂ・１６ｃが形成されている。加熱炉１０の下部のネジ部１０ｄ（雌ネジが形成）内に上部１８ａ（雄ネジが形成）がねじ込まれてアダプタ１８が固定される。そして、そのアダプタ１８の下部には、上記ネジ部１０ｄと同様の雌ネジ穴が形成されている。加熱炉１０下面とアダプタ１８間と、アダプタ１８と徐冷用延長管１６のフランジ間はＯ（オー）リング等によってシールをしている。
【０００５】
図５（ｂ）に示すように、徐冷用延長管１６の上端のフランジ１６ｂには、上方に向けて突出した筒状部の外周に雄ネジ１６ｄが形成されている。
【０００６】
前記アダプタ１８下部の雌ネジ穴に、下方から前記上端フランジ１６ｂの筒状に突出した雄ネジ１６ｄを螺合して固定することによって、アダプタ１８（上記加熱炉１０）に前記徐冷用延長管１６を接続し固定する。
【０００７】
このように徐冷用延長管１６は、アダプタ１８の下部にフランジ１６ｂの雄ネジ１６ｄをねじ込んで固定するため、前記徐冷用延長管１６が曲がりがあった場合に、その曲がりを修正して前記徐冷用延長管１６を芯出し（位置調整等）する必要がある。しかしながら、下記のような問題があるため、芯出しが困難であった。
【０００８】
すなわち、徐冷用延長管１６の芯出しのため、例えば図５に示すように、徐冷用延長管１６の反固定側の自由端について、水平に沿うＸ・Ｙ方向の四方からネジ２２ａ、２２ａ…によって押圧する調芯治具２２を設けている。図５の（ｃ）は鉛直方向から見た調芯治具であり、符号２２ｂ、２２ｂで示すフレームは所冷用延長管１６を挟むように位置して、フレーム２２ｂ、２２ｂに螺合させたネジ２２ａ、２２ａ…を徐冷用延長管１６に当接させている。符号２２ｃは調芯治具２２を取り付けるベースである。
調芯時には、この調芯治具２２のネジ２２ａ、２２ａ…を回してその先端位置を調整することによって、上記徐冷延長管１６の自由端をＸ・Ｙ方向に適切に振って曲げる（曲げられた徐冷用延長管１６を破線で示す）等して芯出ししており、当該徐冷用延長管１６の曲げが大きいと、加熱炉１０、アダプタ１８、フランジ１６ｂの雄ネジ部１６ｄ等のネジ部適所に設けられたシール部分が歪むなどして加熱炉１０や徐冷用延長管１６の内部の気密が不良になって内部ガスが漏れ出す虞があった。
【０００９】
設置された徐冷用延長管１６の曲げの原因としては、
（１）加熱炉１０下部のネジ部１０ｄが垂直方向に沿うように形成されていない場合。
（２）徐冷用延長管１６は、管本体１６ａにフランジ１６ｂ・１６ｃを溶接して製作しており、この際に、フランジ１６ｂ・１６ｃが管本体１６ａに対して曲がり（歪み）が生じた場合が挙げられる。
【００１０】
また、徐冷用延長管１６がアダプタ１８とネジ込み接続（固定）する構造であるので、当該徐冷用延長管１６をアダプタ１８から外して空間を空けて、加熱炉１０下部付近で光ファイバ１４を切断できず、作業性向上の障害になるという解決すべき課題もある。
【００１１】
一方、徐冷用延長管１６には、特許文献１や特許文献２に記載されるように、光ファイバに、その表面にシリカ（ＳｉＣ）発生を防止するためや寸法精度を向上させるために不活性ガス中で線引し、徐冷用延長管に不活性ガスを吹き込んで光ファイバを徐冷している。
【００１２】
発明者は、当該徐冷用延長管１６を加熱炉１０下部から外しやすい構造としてベローズを案出した（未公知）。しかしながら、ベローズ構造は、内部凹凸部があるので、その凹凸部が光ファイバ周囲の不活性ガスの気流を乱してファイバ径の制御に影響を及ぼす虞がある。
【００１３】
また、ベローズの凹凸部にシリカが堆積すると、堆積したシリカが光ファイバに付着してその光ファイバが傷付き、断線等の不具合が生じる場合がある。
【先行技術文献】
【特許文献】
【００１４】
【特許文献１】特開２００４−１５５６１０号
【特許文献２】特開平１０−１９４７７０号
【発明の概要】
【発明が解決しようとする課題】
【００１５】
本発明は、斯かる実情に鑑み、加熱炉の下に設置される徐冷用延長管の加熱炉やアダプタに対する気密性及び徐冷用延長管を簡単に外して縮め加熱炉の下でのファイバ切断性を向上できるとともに、光ファイバの寸法を高精度に制御しかつ光ファイバへの傷つき等の不具合を確実に防止できる紡糸機用延長管及び紡糸機を提供する。
【課題を解決するための手段】
【００１６】
本発明は紡糸機用延長管及び紡糸機に係るものである。
【００１７】
本発明は、光ファイバ母材を加熱する加熱炉下部に中空の徐冷用延長管を設け、該加熱炉から下方に向けて引き出された光ファイバを前記中空内に通して徐冷する光ファイバの紡糸機において、
徐冷用延長管は、前記加熱炉下部に連通する第１の徐冷用延長管と、前記第１の徐冷用延長管の周囲を取り巻く屈曲かつ伸縮が可能なベローズ状本体を有すベローズ延長管と、前記第１の徐冷用延長管下部に連通する第２の徐冷用延長管とを有する紡糸機用延長管である。
また、本発明において、前記加熱炉下部に中空のアダプタを設け、このアダプタの下部に前記第１の徐冷用延長管の上端を着脱可能に固定してアダプタと第１の徐冷用延長管および第２の徐冷用延長管とを連通させると共に、この第１の徐冷用延長管の下部は第２の徐冷用延長管の上端部開口内に進退動可能に挿入したことが好適である。
また、本発明において、前記ベローズ延長管は、上端を前記アダプタ下部に着脱可能に固定し、かつ、下端を第２の徐冷用延長管上端に着脱可能に固定したことが好適である。
【００１８】
本発明においては、前記アダプタは、下端にフランジを設けたものであり、
前記ベローズ延長管は、ベローズ状の本体の上端および下端にフランジを設けたものであり、
第２の徐冷用延長管は、管状の本体の少なくとも上端にフランジを設けたものであり、
前記加熱炉下部に固定したアダプタの下部に前記ベローズ延長管の上端のフランジを別体のネジによってネジ結合し、
前記ベローズ延長管の下端のフランジに、第２の徐冷用延長管の上端のフランジを別体のネジによってネジ結合したことが好適である。
【００１９】
また、本発明においては、前記アダプタの下端の中空開口に連通しかつ周囲に雄ネジの形成された筒状ネジ部を下方に突出形成し、前記第１の徐冷用延長管は、上端にフランジが形成されており、
その上端のフランジをアダプタ下端の筒状ネジ部下端に突き当て、当該上端のフランジを包んで筒状雌ネジ体を前記突出部の雄ネジに螺合させて、前記第１の徐冷用延長管の上端を前記アダプタに固定したことが好適である。
【００２０】
また、本発明においては、第２の徐冷用延長管に、その本体を側方から支持しかつ芯出しをするため移動可能にする延長管用ブラケットを設けたことが好適である。
【００２１】
本発明は、上記の徐冷用延長管を用いたことを特徴とする光ファイバの紡糸機である。
【発明の効果】
【００２２】
本発明の紡糸機用延長管及び紡糸機によれば、徐冷用延長管は、前記加熱炉下部に連通する第１の徐冷用延長管と、前記第１の徐冷用延長管の周囲を取り巻く屈曲かつ伸縮が可能なベローズ状本体を有すベローズ延長管と、前記第１の徐冷用延長管下部に連通する第２の徐冷用延長管とを有するので、徐冷用延長管の芯出しに際して、ベローズ延長管のベローズが柔軟に屈曲できる。
本発明において、加熱炉下部に設けた中空のアダプタの下部に前記第１の徐冷用延長管の上端を着脱可能に固定してアダプタと第１の徐冷用延長管および第２の徐冷用延長管とを連通させると共に、この第１の徐冷用延長管の下部は第２の徐冷用延長管の上端部開口内に進退動可能に挿入したことにより、簡単な構成で徐冷用延長管同士の位置調整ができす。
また、前記ベローズ延長管は、上端を前記アダプタ下部に着脱可能に固定し、かつ、下端を第２の徐冷用延長管上端に着脱可能に固定したことが好ましい。
【００２３】
また、ベローズ延長管のベローズによって第１の徐冷用延長管及び第２の徐冷用延長管を芯出しする際に振り回しやすくかつ加熱炉下部に設けたアダプタや徐冷用延長管自体をこじることが無いので、気密性の低下を確実に防止できる。
【００２４】
また、加熱炉で加熱した母材から光ファイブを引き出す際に、光ファイバを第１の徐冷用延長管から第２の徐冷用延長管を通して引き出すことができ、ベローズ内に光ファイバが露出しないことからベローズの凹凸の有る内面にシリカ等が堆積することがない。
【００２５】
また、第１の徐冷用延長管の下部は第２の徐冷用延長管の上端部開口内に進退動可能に挿入していることから、上記芯出しの際やベローズ延長管変形したり、第２の徐冷用延長管に位置変化が生じても気密性良く対応できる。
【００２６】
また、第１の徐冷延長管がアダプタに着脱可能であるので、光ファイバの切断が必要な場合は、ベローズ延長管および第１の徐冷用延長管をアダプタ下部から外して、ベローズ延長管がそのベローズ状の本体が伸縮可能であるので、当該ベローズを縮めて、加熱炉下部に空間を容易に空け、光ファイバを露出させて切断することが簡単にでき取り扱い易い。
【００２７】
なお、本発明において、前記アダプタは、下端にフランジを設け、前記ベローズ延長管は、ベローズ状の本体の上端および下端にフランジを設け、第２の徐冷用延長管は、管状の本体の少なくとも上端にフランジを設けたものとして、前記加熱炉下部に固定したアダプタの下部に前記ベローズ延長管の上端のフランジを別体のネジによってネジ結合し、前記ベローズ延長管の下端のフランジに、第２の徐冷用延長管の上端のフランジを別体のネジによってネジ結合することによって、ネジを外すことによってベローズ延長管を容易に外すことができる。
【００２８】
また、本発明において、前記アダプタの下端の中空開口に連通しかつ周囲に雄ネジの形成された筒状ネジ部を下方に突出形成し、前記第１の徐冷用延長管は、上端にフランジが形成されて、その上端のフランジをアダプタ下端の筒状ネジ部下端に突き当て、当該上端のフランジを包んで筒状雌ネジ体を前記突出部の雄ネジに螺合させて、前記第１の徐冷用延長管の上端を前記アダプタに固定したことによって、筒状雌ネジ体を回して筒状ネジ部から外すことで簡単な操作で第１の徐冷用延長管をアダプタから外すことができる。
【００２９】
また、本発明において、第２の徐冷用延長管に、その本体を側方から支持しかつ芯出しをするため移動可能にする延長管用ブラケットを設けることにより、支持と芯出しが可能にできる。
【図面の簡単な説明】
【００３０】
【図１】本発明の実施形態に係るに徐冷用延長管を設けた紡糸機の全体説明図である。
【図２】図１の徐冷用延長管およびその周辺の説明図である。
【図３】図１の徐冷用延長管の加熱炉下部からの縦断説明図である。
【図４】図１の徐冷用延長管の第１の徐冷用延長管周辺の詳細縦断説明図である。
【図５】（ａ）は従来の紡糸機用延長管（徐冷用延長管）を設けた紡糸機の全体説明図、（ｂ）はアダプタ周辺の説明図、（ｃ）は徐冷用延長管用の調芯治具の横断した説明図である。
【発明を実施するための形態】
【００３１】
以下、本発明の実施の形態を添付図面を参照して説明する。
【００３２】
図１は、実施形態に係る徐冷用延長管を設けた紡糸機の全体説明図、図２は、図１の徐冷用延長管およびその周辺の説明図、図３は、図１の徐冷用延長管の第１の徐冷用延長管の縦断説明図、図４は、図１の徐冷用延長管の第１の徐冷用延長管周辺の詳細縦断説明図である。なお、図中、図５と同一の符号を付した部分は同一物を表わす。
【００３３】
図１〜図４に示すように、実施形態に係る光ファイバの紡糸機は、光ファイバ母材１２を加熱する加熱炉１０下部に中空の徐冷用延長管（第１の徐冷用延長管２４、ベローズ延長管２６、第２の徐冷用延長管２８）を設け、該加熱炉１０から下方に向けて引き出された光ファイバ１４を前記徐冷用延長管の中空内に通して徐冷するものである。
【００３４】
前記徐冷用延長管は、前記加熱炉１０下部に連通する第１の徐冷用延長管２４と、前記第１の徐冷用延長管２４の周囲を取り巻く屈曲かつ伸縮が可能なベローズ状本体２６ａを有するベローズ延長管２６と、前記第１の徐冷用延長管２４下部に連通する第２の徐冷用延長管２８とを有している。
【００３５】
前記加熱炉１０下部に中空のアダプタ３０を設け、このアダプタ３０の下部に前記第１の徐冷用延長管２４の上端を着脱可能に固定してアダプタ３０と第１の徐冷用延長管２４および第２の徐冷用延長管２８とを連通させると共に、この第１の徐冷用延長管２４の下部は第２の徐冷用延長管２８の上端部開口内に進退動可能に挿入している。
【００３６】
前記ベローズ延長管２６は、上端を前記アダプタ３０下部に着脱可能に固定し、かつ、下端を第２の徐冷用延長管２８上端に着脱可能に固定したものである。
【００３７】
ここで、前記アダプタ３０は、管状の本体３０ａの上端および下端にフランジ３０ｂおよび３０ｃを設けたものである。
【００３８】
前記ベローズ延長管２６は、ベローズ状の本体２６ａの上端および下端にフランジ２６ｂおよび２６ｃを設けたものである。
【００３９】
第２の徐冷用延長管２８は、管状の本体２８ａの上端および下端にフランジ２８ｂおよび２８ｃを設けたものである。
【００４０】
前記加熱炉１０下部に固定したアダプタ３０の下部フランジ３０ｃに前記ベローズ延長管２６の上端のフランジ２６ｂを突き合わせて、互いを別体のネジ３２（穴付きボルトまたは六角ボルトが好ましい）によってネジ結合し、前記ベローズ延長管２６の下端のフランジ２６ｃに、第２の徐冷用延長管２８の上端のフランジを別体のネジ３４（穴付きボルトまたは六角ボルトが好ましい）によってネジ結合したものである。
【００４１】
ネジ３２はアダプタ３０の下側のフランジ２６ｃ（通孔）からベローズ延長管２６のフランジ２６ｂ（雌ネジ孔）に下向きに通して螺着する。
【００４２】
また、同様に、ベローズ延長管２６の下端のフランジ２６ｃに、第２の徐冷用延長管２８の上端のフランジ２８ｂを突き合わせて両者（フランジ２６ｃとフランジ２８ｂ）同士を別体のネジ３４（穴付きボルトまたは六角ボルトが好ましい）によってネジ結合する。ネジ３４はベローズ延長管２６のフランジ２６ｃ（通孔）から第２の徐冷用延長管２８のフランジ２８ｂ（雌ネジ孔）に下向きに通して螺着する。
【００４３】
前記アダプタ３０は管状の本体３０ａの上端および下端にフランジ３０ｂおよび３０ｃが設けられる。その上端のフランジ３０ｂ上部から外周に雄ネジの形成された筒状部３０ｄが上方向きに突出形成されている。当該筒状部３０ｄを加熱炉１０下部のネジ部１０ｄにねじ込んで上端のフランジ３０ｂを加熱炉１０下部に当接させて取り付ける。
【００４４】
また、図３〜図４に示すように、前記アダプタ３０には、その下端の中空開口に連通しかつ周囲に雄ネジの形成された筒状ネジ部３０ｅを下方に突出形成している。また、前記第１の徐冷用延長管２４は、本体２４ａ上端にフランジ２４ｂが形成されている。
【００４５】
その第１の徐冷用延長管２４上端のフランジ２４ｂをアダプタ３０下端の筒状ネジ部３０ｅ下端に突き当て、当該上端のフランジ２４ｂを包んでナット等の筒状雌ネジ体３６を前記筒状ネジ部３０ｅの雄ネジに螺合させて、前記第１の徐冷用延長管２４の上端を前記アダプタ３０に固定したものである。なお、符号３８はシール用Ｏ（オー）リングである。
【００４６】
また、第２の徐冷用延長管２８には、その本体２８ａを側方から支持しかつ芯出しをするため移動可能にする延長管用ブラケット４０を設けたものである。
【００４７】
実施形態に係る光ファイバの紡糸機は、上記の徐冷用延長管の第１の徐冷用延長管２４，第２の徐冷用延長管２８、ベローズ延長管２６を用いたものである。
【００４８】
なお、上記アダプタ３０，第１の徐冷用延長管２４，第２の徐冷用延長管２８、ベローズ延長管２６はいずれもステンレス素材（ＳＵＳ）によって製作することが高温下の耐久性上から好ましい。また、ネジ３２、３４も必要に応じてＳＵＳ材とすることが好ましい。
【００４９】
また、前記延長管用ブラケット４０は、第２の徐冷用延長管２８の本体２８ａを取り囲むようにして支持する支持治具４０ａと当該支持治具４０ａを左右に駆動する駆動体４０ｂとを有している。前記延長管用ブラケット４０はアルミニウムを材質とすることが好適である。また、駆動体４０ｂの駆動機構が適宜に設定できるのでその図示は略する。
【００５０】
前記支持治具４０ａは、図２に示すように、筒状であって上端および下端それぞれに蓋部４０ｃ、４０ｃの径方向中央部の空間に、第２の徐冷用延長管２８本体２８ａを挿通させると共に、それら蓋部４０ｃ、４０ｃに内径方向にねじ込んだ複数（実施形態では４つ）のネジ４０ｃ１、４０ｃ１…によって、第２の徐冷用延長管２８本体２８ａを外周から挟み付けて位置調整可能に固定している。つまり、それら複数のネジ４０ｃ１、４０ｃ１…の出し入れによって第２の徐冷用延長管２８本体２８ａの固定位置が調整可能になっている。
【００５１】
実施形態に係る紡糸機および紡糸機用の延長管によれば、加熱炉１０下部に設けた中空のアダプタ３０の下部に前記第１の徐冷用延長管２４の上端のフランジ２４ｂを着脱可能に固定してアダプタ３０と第１の徐冷用延長管２４および第２の徐冷用延長管２８とを連通させると共に、この第１の徐冷用延長管２４の筒状の本体２４ａの下部は第２の徐冷用延長管２８の上端部開口内に進退動可能に挿入しており、前記ベローズ延長管２６は、上端を前記アダプタ３０下部に着脱可能に固定し、かつ、下端を第２の徐冷用延長管２８上端に着脱可能に固定したので、徐冷用延長管の芯出しに際して、ベローズ延長管２６のベローズが柔軟に屈曲できる。
【００５２】
また、ベローズ延長管２６のベローズによって第１の徐冷用延長管２４及び第２の徐冷用延長管２８を芯出しする際に振り回しやすくかつ加熱炉１０下部に設けたアダプタ３０や徐冷用延長管自体をこじることが無いので、気密性の低下を確実に防止できる。
【００５３】
また、加熱炉１０で加熱した母材１２から光ファイブ１４を引き出す際に、光ファイバ１４を第１の徐冷用延長管２４から第２の徐冷用延長管２８を通して引き出すことができ、ベローズ状本体２６ａ内に光ファイバ１４が露出しないことからベローズ状本体２６ａの凹凸の有る内面にシリカ等が堆積することがない。
【００５４】
また、第１の徐冷用延長管２４の筒状の本体２４ａ下部は第２の徐冷用延長管２８の上端部開口内に進退動可能に挿入していることから、上記芯出しの際やベローズ延長管２６が変形したり、第２の徐冷用延長管２８に位置変化が生じても気密性良く対応できる。
【００５５】
また、第１の徐冷用延長管２４がアダプタ３０に着脱可能であるので、光ファイバ１４の切断が必要な場合は、ベローズ延長管２６および第１の徐冷用延長管２４をアダプタ３０下部から外して、ベローズ延長管２６がそのベローズ状の本体２６ａが伸縮可能であるので、当該ベローズ状の本体２６ａを縮めて、加熱炉１０下部に空間を容易に空け、光ファイバ１４を露出させて切断することが簡単にでき取り扱い易い。
【００５６】
また、前記アダプタ３０は、下端にフランジ３０ｃを設け、前記ベローズ延長管２６は、ベローズ状の本体２６ａの上端および下端にフランジ２６ｂおよび２６ｃを設け、第２の徐冷用延長管２８は、管状の本体２８ａの少なくとも上端にフランジ２８ｂを設けたものとして、前記記加熱炉１０下部に固定したアダプタ３０の下部に前記ベローズ延長管２６の上端のフランジ２６ｂを別体のネジ３２によってネジ結合し、前記ベローズ延長管２６の下端のフランジ２６ｃに、第２の徐冷用延長管２８の上端のフランジ２８ｂを別体のネジ３４によってネジ結合している。ネジ３２を外せばべローズ延長管２６をアダプタ３０から容易に外して空間を空けることができる。
【００５７】
また、前記アダプタ３０の下端の中空開口に連通しかつ周囲に雄ネジの形成された筒状ネジ部３０ｅを下方に突出形成し、前記第１の徐冷用延長管２４は、上端にフランジ２４ｂが形成されて、その上端のフランジ２４ｂをアダプタ３０下端の筒状ネジ部３０ｅ下端に突き当て、当該上端のフランジ２４ｂを包んで筒状雌ネジ体３６を前記筒状ネジ部３０ｅの雄ネジに螺合させて、前記第１の徐冷用延長管２４の上端を前記アダプタ３０に固定したことによって、筒状雌ネジ体３６を回して筒状ネジ部３０ｅから外すことで簡単な操作で第１の徐冷用延長管２４をアダプタ３０から外すことができる。
【００５８】
また、第２の徐冷用延長管２８に、その本体を側方から支持しかつ芯出しをするため移動可能にする延長管用ブラケット４０を設けているので、支持と芯出しが可能にできる。
【産業上の利用可能性】
【００５９】
本発明の紡糸機用延長管及び紡糸機は、加熱炉の下に設置される徐冷用延長管の気密性及び徐冷用延長管を簡単に外して加熱炉の下でのファイバ切断性を向上できると共に、光ファイバの寸法を高精度に制御し、かつ、光りファイバの傷つき等の不具合を確実に防止するために利用できる。
【符号の説明】
【００６０】
１０  加熱炉
１０ａ  ヒータ
１０ｂ  外壁部
１０ｃ  断熱材
１０ｄ  ネジ部
１２  光ファイバ母材
１４  光ファイバ
１４ａ  光ファイバの先端
２４  第１の徐冷用延長管
２４ａ  第１の徐冷用延長管の本体
２４ｂ  第１の徐冷用延長管の上端のフランジ
２４ｃ  第１の徐冷用延長管の下端のフランジ
２６  ベローズ延長管
２６ａ  ベローズ状本体
２６ｂ  ベローズ延長管の上端のフランジ
２６ｃ  ベローズ延長管の下端のフランジ
２８  第２の徐冷用延長管
２８ａ  第２の徐冷用延長管の本体
２８ｂ  第２の徐冷用延長管の上端のフランジ
２８ｃ  第２の徐冷用延長管下部フランジ
３０  アダプタ
３０ａ  アダプタの本体
３０ｂ  アダプタの上端のフランジ
３０ｃ  アダプタの下端のフランジ
３０ｄ  アダプタの上端の筒状部
３０ｅ  アダプタの下端の筒状ネジ部
３２  ネジ
３４  ネジ
３６  筒状雌ネジ体
３８  Ｏリング
４０  延長管用ブラケット
４０ａ  支持治具
４０ｂ  駆動体
【図１】
2011173734.tif 000003
【図２】
2011173734.tif 000004
【図３】
2011173734.tif 000005
【図４】
2011173734.tif 000006
【図５】
2011173734.tif 000007